(57)【要約】【課題】大口径でありながら諸収差が十分に低減され、フォーカスレンズが軽量化された小型な撮像レンズを提供すること。【解決手段】撮像レンズは、物体側から順に、正屈折力を有する前側レンズ群と、正屈折力を有する１枚のフォーカスレンズと、負屈折力を有する後側レンズ群と、からなり、フォーカシング時はフォーカスレンズが光軸上を移動し、後側レンズ群の最も物体側に正屈折力の単レンズが配置されていることを特徴としている。【選択図】図１
2016110007.tif 000002
【特許請求の範囲】
【請求項１】
物体側から順に、
正屈折力を有する前側レンズ群と、
正屈折力を有する１枚のフォーカスレンズと、
負屈折力を有する後側レンズ群と、からなり、
フォーカシング時は前記フォーカスレンズが光軸上を移動し、
前記後側レンズ群の最も物体側に正屈折力の単レンズが配置されていることを特徴とする撮像レンズ。
【請求項２】
以下の条件式（１）を満たすことを特徴とする請求項１に記載の撮像レンズ。
１．０＜ｆf／ｆfo      （１）
但し、
ｆfは前記前側レンズ群の焦点距離、
ｆfoは前記フォーカスレンズの焦点距離、
である。
【請求項３】
以下の条件式（２）を満たすことを特徴とする請求項１または２に記載の撮像レンズ。
１．０＜ｆr1／ｆfo      （２）
但し、
ｆr1は前記後側レンズ群の最も物体側に配置された正屈折力の前記単レンズの焦点距離、
ｆfoは前記フォーカスレンズの焦点距離、
である。
【請求項４】
以下の条件式（３）を満たすことを特徴とする請求項１乃至３のいずれか１項に記載の撮像レンズ。
０．５＜（１−ｍｇFo２）×（ｍｇR）２      （３）
但し、
ｍｇFoは前記フォーカスレンズの横倍率、
ｍｇRは前記後側レンズ群の横倍率、
である。
【請求項５】
以下の条件式（４）を満たすことを特徴とする請求項１乃至４のいずれか１項に記載の撮像レンズ。
νｄFo≧４０．０      （４）
但し、
νｄFoは前記フォーカスレンズのアッベ数、
である。
【請求項６】
以下の条件式（５）を満たすことを特徴とする請求項１乃至５のいずれか１項に記載の撮像レンズ。
（ｒRfof＋ｒRfor）／（ｒRfof−ｒRfor）＜０．０        （５）
但し、
ｒRfofは前記フォーカスレンズの物体側面の曲率半径、
ｒRforは前記フォーカスレンズの像側面の曲率半径、
である。
【請求項７】
以下の条件式（６）を満たすことを特徴とする請求項１乃至６のいずれか１項に記載の撮像レンズ。 
０．０１＜Ｆｎｏ／（ｆ×２１．６３３／Ｙ）＜０．０８      （６）
但し、
ｆは、前記撮像レンズの全系の焦点距離、
Ｆｎｏは、前記撮像レンズの全系のＦナンバー、
Ｙは、前記撮像レンズの結像面での最大像高、
である。
【発明の詳細な説明】
【技術分野】
【０００１】
本発明は、撮像レンズに関するものである。特にレンズ交換式カメラの撮像レンズに関するものである。
【背景技術】
【０００２】
レンズ交換式カメラとして、ミラーレス一眼カメラが知られている。ミラーレス一眼カメラでは、一眼レフカメラのような跳ね上げミラーが存在しない。そのため、ミラーレス一眼カメラは、一眼レフカメラに比べてコンパクトなカメラにすることができる。近年、ミラーレス一眼カメラのコンパクト性がユーザーに受け入れられて、その市場が拡大しつつある。
【０００３】
ミラーレス一眼カメラにも、一眼レフカメラと同様にＡＦ（オートフォーカス）機能が備わっている。ここで、ＡＦ方式としては、位相差ＡＦとコントラストＡＦとがある。一眼レフカメラでは、位相差ＡＦが主流となっている。
【０００４】
一方、ミラーレス一眼カメラの中には、位相差ＡＦを用いることができないものも存在する。そのようなミラーレス一眼カメラでは、コントラストＡＦを用いることになる。コントラストＡＦでは、フォーカスレンズ群を走査してコントラストが最大になる場所を探すことで合焦を行う。
【０００５】
コントラストＡＦを用いる場合に問題となるのが、フォーカスレンズ群の重量である。ここで、合焦状態になるまでに必要なフォーカスレンズ群の移動量を、所定の移動量とする。位相差ＡＦの場合、ＡＦセンサーからの情報を用いて、所定の移動量を一回で算出できる。よって、その算出した所定の移動量にしたがって、フォーカスレンズ群を移動させることができる。
【０００６】
一方、コントラストＡＦの場合、ＡＦセンサーから得られる情報はその瞬間のコントラスト値のみである。すなわち、所定の移動量を一回で算出することはできない。そのため、コントラストＡＦでは、フォーカスレンズ群を移動させてコントラストを算出し、移動前のコントラストと比較する。このようにして、コントラストの変化を読み取りながら、コントラストが最大となる場所を探すことで合焦動作を行うことになる。
【０００７】
ここで、コントラストの最大値を検出するためには、移動後のコントラストが移動前のコントラストよりも小さくなることを確認しなくてはならない。よって、コントラストＡＦでは、コントラストが最大となった位置よりも、更にフォーカスレンズ群を移動させる必要がある。
【０００８】
したがって、所定の移動量をコントラストＡＦと位相差ＡＦとで比較した場合、所定の移動量は前者の場合が圧倒的に大きくなる。以上の点から、コントラストＡＦが用いられる光学系では、フォーカスレンズ群の軽量化が大きなポイントとなる。
【０００９】
コントラストＡＦが用いられる撮像レンズとして、特許文献１、２に開示された光学系が存在する。
【先行技術文献】
【特許文献】
【００１０】
【特許文献１】特開２０１２−２５５８４２号公報
【特許文献２】特開２０１４−３５４５８号公報
【発明の概要】
【発明が解決しようとする課題】
【００１１】
特許文献１、２に記載の光学系においては、フォーカスレンズとしてレンズ１枚のみで構成し、フォーカスレンズの軽量化を行っている。しかしながら、フォーカスレンズの軽量化を行う構成としている副作用として、フォーカスレンズを駆動させた時の収差変動が大きく結像性能が悪化してしまう。
【００１２】
本発明は、上記に鑑みてなされたものであって、その目的は、大口径であってフォーカスレンズが軽量化された小型で高性能な撮像レンズを提供することにある。
【課題を解決するための手段】
【００１３】
上述した課題を解決し、目的を達成するために、本発明の撮像レンズは、
物体側から順に、
正屈折力を有する前側レンズ群と、
正屈折力を有する１枚のフォーカスレンズと、
負屈折力を有する後側レンズ群と、からなり、
フォーカシング時はフォーカスレンズが光軸上を移動し、
後側レンズ群の最も物体側に正屈折力の単レンズが配置されていることを特徴とする。
【発明の効果】
【００１４】
本発明によれば、大口径でありながら諸収差が十分に低減され、フォーカスレンズが軽量化された小型な撮像レンズを提供できる。
【図面の簡単な説明】
【００１５】
【図１】実施例１に係る撮像レンズのレンズ断面図であって、（ａ）は無限遠物体合焦時、（ｂ）は倍率が０．０３倍時、（ｃ）は最至近物体合焦時のレンズ断面図である。
【図２】実施例２に係る撮像レンズのレンズ断面図であって、（ａ）は無限遠物体合焦時、（ｂ）は倍率が０．０３倍時、（ｃ）は最至近物体合焦時のレンズ断面図である。
【図３】実施例３に係る撮像レンズのレンズ断面図であって、（ａ）は無限遠物体合焦時、（ｂ）は倍率が０．０３倍時、（ｃ）は最至近物体合焦時のレンズ断面図である。
【図４】実施例４に係る撮像レンズのレンズ断面図であって、（ａ）は無限遠物体合焦時、（ｂ）は倍率が０．０３倍時、（ｃ）は最至近物体合焦時のレンズ断面図である。
【図５】実施例５に係る撮像レンズのレンズ断面図であって、（ａ）は無限遠物体合焦時、（ｂ）は倍率が０．０３倍時、（ｃ）は最至近物体合焦時のレンズ断面図である。
【図６】実施例６に係る撮像レンズのレンズ断面図であって、（ａ）は無限遠物体合焦時、（ｂ）は倍率が０．０３倍時、（ｃ）は最至近物体合焦時のレンズ断面図である。
【図７】実施例１にかかる撮像レンズの球面収差（ＳＡ）、非点収差（ＡＳ）、歪曲収差（ＤＴ）、倍率色収差（ＣＣ）を示す図であり、（ａ）〜（ｄ）は無限遠物体合焦時、（ｅ）〜（ｈ）は倍率が０．０３倍時、（ｉ）〜（ｌ）は最至近物体合焦時での収差図を示している。
【図８】実施例２にかかる撮像レンズの球面収差（ＳＡ）、非点収差（ＡＳ）、歪曲収差（ＤＴ）、倍率色収差（ＣＣ）を示す図であり、（ａ）〜（ｄ）は無限遠物体合焦時、（ｅ）〜（ｈ）は倍率が０．０３倍時、（ｉ）〜（ｌ）は最至近物体合焦時での収差図を示している。
【図９】実施例３にかかる撮像レンズの球面収差（ＳＡ）、非点収差（ＡＳ）、歪曲収差（ＤＴ）、倍率色収差（ＣＣ）を示す図であり、（ａ）〜（ｄ）は無限遠物体合焦時、（ｅ）〜（ｈ）は倍率が０．０３倍時、（ｉ）〜（ｌ）は最至近物体合焦時での収差図を示している。
【図１０】実施例４にかかる撮像レンズの球面収差（ＳＡ）、非点収差（ＡＳ）、歪曲収差（ＤＴ）、倍率色収差（ＣＣ）を示す図であり、（ａ）〜（ｄ）は無限遠物体合焦時、（ｅ）〜（ｈ）は倍率が０．０３倍時、（ｉ）〜（ｌ）は最至近物体合焦時での収差図を示している。
【図１１】実施例５にかかる撮像レンズの球面収差（ＳＡ）、非点収差（ＡＳ）、歪曲収差（ＤＴ）、倍率色収差（ＣＣ）を示す図であり、（ａ）〜（ｄ）は無限遠物体合焦時、（ｅ）〜（ｈ）は倍率が０．０３倍時、（ｉ）〜（ｌ）は最至近物体合焦時での収差図を示している。
【図１２】実施例６にかかる撮像レンズの球面収差（ＳＡ）、非点収差（ＡＳ）、歪曲収差（ＤＴ）、倍率色収差（ＣＣ）を示す図であり、（ａ）〜（ｄ）は無限遠物体合焦時、（ｅ）〜（ｈ）は倍率が０．０３倍時、（ｉ）〜（ｌ）は最至近物体合焦時での収差図を示している。
【図１３】撮像装置の断面図である。
【図１４】撮像装置の外観を示す前方斜視図である。
【図１５】撮像装置の後方斜視図である。
【図１６】撮像装置の主要部の内部回路の構成ブロック図である。
【発明を実施するための形態】
【００１６】
実施例の説明に先立ち、本発明のある態様に係る実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１７】
本実施形態の撮像レンズは、物体側から順に、正屈折力を有する前側レンズ群と、正屈折力を有する１枚のフォーカスレンズと、負屈折力を有する後側レンズ群と、からなり、フォーカシング時はフォーカスレンズが光軸上を移動し、後側レンズ群の最も物体側に正屈折力の単レンズが配置されていることを特徴とする。
【００１８】
以下、このような構成をとった理由と作用を説明する。本実施形態では、物体側から順に、正屈折力を有する前側レンズ群と、正屈折力を有する１枚のフォーカスレンズと、負屈折力を有する後側レンズ群とからなる。そして、本実施形態の撮像レンズでは、フォーカシング時にフォーカスレンズが光軸上を移動する構成が採用されている。
【００１９】
まず、フォーカスレンズを１枚のレンズで構成することにより、フォーカシング時に移動するレンズの重量を軽量化できる。しかも、移動するレンズが１枚なので、フォーカスレンズを移動させるための駆動機構が簡素化できる。これにより、駆動機構の製造が容易になる。その結果、高速で、高い精度のコントラストＡＦを達成することができる。
【００２０】
大口径レンズでは、球面収差やコマ収差を良好に補正するために、軸上光線の高さが高い場所に、収差補正に関する自由度（以下、「補正自由度」という）を可能な限り多く持たせることが重要である。ここで、補正自由度とは、例えば、レンズ面の曲率半径、レンズ面の間隔、屈折率、アッベ数等である。
【００２１】
本実施形態の撮像レンズでは、後側レンズ群に入射する光束の軸上光線の高さをできるだけ高く保つ構成になっている。そのため、前側レンズ群から後側レンズ群までの間にある全ての補正自由度を、余すことなく球面収差やコマ収差の補正に活用することができる。
【００２２】
さらに本実施形態の撮像レンズでは、後側レンズ群の最も物体側に正の屈折力を持つ単レンズを配置している。これにより、ペッツバール収差とコマ収差を補正する事が可能となり、良好な結像性能を有する撮像レンズを実現できる。
【００２３】
本実施形態の撮像レンズは、以下の条件式（１）を満たすことが好ましい。
１．０＜ｆf／ｆfo      （１）
但し、
ｆfは前側レンズ群の焦点距離、
ｆfoはフォーカスレンズの焦点距離、
である。
【００２４】
条件式（１）は、前側レンズ群の屈折力に関する規定であって、前側レンズ群の焦点距離をフォーカスレンズ焦点距離で規格化したものである。
【００２５】
条件式（１）の下限値を下回ると、前側レンズ群の正の屈折力が過度に大きくなる。このため、前側レンズ群を構成する各レンズの曲率半径が小さくなるので、前側レンズ群で発生する収差、特に球面収差やコマ収差が悪化する。これにより、これらの収差補正が困難になるため好ましくない。
【００２６】
また、本実施形態の撮像レンズは、以下の条件式（２）を満たすことが好ましい。
１．０＜ｆr1／ｆfo      （２）
但し、
ｆr1は後側レンズ群の最も物体側に配置された正屈折力の単レンズの焦点距離、
ｆfoはフォーカスレンズの焦点距離、
である。
【００２７】
条件式（２）は後側レンズ群の、特に最も物体側に配置された正屈折力の単レンズの屈折力に関する規定であって、後側レンズ群の最も物体側に配置された正屈折力の単レンズの焦点距離をフォーカスレンズの焦点距離で規格化したものである。
【００２８】
条件式（２）の下限値を下回ると、後側レンズ群の負の屈折力が過度に小さくなる。このため、後側レンズ群で発生する収差、特にコマ収差、ペッツバール収差が大きくなってしまう。これにより、収差補正が困難になるため好ましくない。
【００２９】
また、本実施形態の撮像レンズは、以下の条件式（３）を満たすことが好ましい。
０．５＜（１−ｍｇFo２）×（ｍｇR）２      （３）
但し、
ｍｇFoはフォーカスレンズの横倍率、
ｍｇRは後側レンズ群の横倍率、
である。
【００３０】
条件式（３）はフォーカスレンズのフォーカシング敏感度に関する規定である。なお、フォーカスレンズの横倍率と後側レンズ群の横倍率は、無限遠物体合焦時の横倍率である。
【００３１】
条件式（３）の下限値を下回ると、フォーカスレンズのフォーカシング敏感度が低くなりすぎる。この場合、フォーカシング時に、フォーカスレンズの移動量が増大してしまう。よって、条件式（３）の下限値を下回ることは望ましくない。
【００３２】
また、本実施形態の撮像レンズは、以下の条件式（４）を満たすことが好ましい。
νｄFo≧４０．０      （４）
但し、
νｄFoはフォーカスレンズのアッベ数、
である。
【００３３】
条件式（４）はフォーカスレンズのアッベ数に関する規定である。
条件式（４）の下限値を下回ると、フォーカシング時の色収差変動が大きくなる。このため、倍率色収差の補正が困難となり好ましくない。
【００３４】
また、本実施形態の撮像レンズは、以下の条件式（５）を満たすことが好ましい。
（ｒRfof＋ｒRfor）／（ｒRfof−ｒRfor）＜０．０      （５）
但し、
ｒRfofはフォーカスレンズの物体側面の曲率半径、
ｒRforはフォーカスレンズの像側面の曲率半径、
である。
【００３５】
条件式（５）は、フォーカスレンズのシェイプファクターに関する規定での発生量が大きくなる。このため、光学系の収差性能が悪化するため好ましくない。
【００３６】
また、本実施形態の撮像レンズは、以下の条件式（６）を満たすことが好ましい。
０.０１＜Ｆｎｏ／（ｆ×２１．６３３／Ｙ）＜０．０８      （６）
但し、
ｆは、撮像レンズの全系の焦点距離、
Ｆｎｏは、撮像レンズの全系のＦナンバー、
Ｙは、撮像レンズの結像面での最大像高、
である。
【００３７】
条件式（６）は、撮像レンズのＦナンバーと撮像レンズ全系の焦点距離の比について規定したものである。なお、撮像レンズ全系の焦点距離については、光学系の結像面での像高Ｙで規格化を行なっている。なお、焦点距離とＦナンバーは、それぞれ無限遠物体合焦時の焦点距離とＦナンバーである。
【００３８】
条件式（６）の下限値を下回ると、Ｆナンバーが小さくなりすぎるため、球面収差の発生が大きくなる。また、条件式（６）の上限値を上回ると、Ｆナンバーが大きくなりすぎるため、撮像レンズが明るいレンズでなくなる。もしくは、撮像レンズ全系の焦点距離が大きくなるため、光学系全体をコンパクトに構成できなくなる。
【００３９】
また、上述の構成は相互に複数を同時に満足することがより好ましい。また、一部の構成を同時に満足するようにしてもよい。例えば、上述の撮像レンズの何れかにて、上述の他の撮像レンズの何れかを用いるようにしてもよい。
【００４０】
また、条件式については、それぞれの条件式を個別に満足させるようにしても良い。このようにすると、それぞれの効果を得やすくなるので好ましい。
【００４１】
また、各条件式について、以下のように下限値、または上限値を変更しても良い、このようにすることで、各条件式の効果を一層確実にできるので好ましい。
【００４２】
条件式（１）については、以下のようにすることが好ましい。
１．４＜ｆf／ｆfo      （１）’
条件式（２）については、以下のようにすることが好ましい。
１．４＜ｆr1／ｆfo      （２）’
条件式（３）については、以下のようにすることが好ましい。
０．４５＜（１−ｍｇFo２）×（ｍｇR）２      （３）’
条件式（４）については、以下のようにすることが好ましい。
νｄFo≧４５      （４）’
条件式（５）については、以下のようにすることが好ましい。
（ｒRfof＋ｒRfor）／（ｒRfof−ｒRfor）＜−０．０５      （５）’
条件式（６）については、以下のようにすることが好ましい。
０.０１５＜Ｆｎｏ／（ｆ×２１．６３３／Ｙ）＜０．０７５      （６）’
【００４３】
以下に、本発明に係る撮像装置に用いられるズームレンズの実施例を、図面に基づいて詳細に説明する。なお、この実施例によりこの発明が限定されるものではない。
【００４４】
以下、ズームレンズの実施例１〜６について説明する。実施例１〜６のレンズ断面図を、それぞれ図１〜図６に示す。図中、（ａ）は、無限遠物体合焦時のレンズ断面図、（ｂ）は、倍率が０．０３倍時のレンズ断面図、（ｃ）は、最至近物体合焦時のレンズ断面図である。なお、倍率が０．０３倍時とは、倍率が０．０３倍となる物体距離に合焦した時のことを意味する。
【００４５】
また、前側レンズ群はＧＦ、フォーカスレンズはＦｏ、後側レンズ群はＧＲ、開口絞り（明るさ絞り）はＳ、カバーガラスはＣ、像面（撮像面）はＩで示してある。
【００４６】
また、ゴースト、フレア等の不要光をカットするために、明るさ絞り以外にフレア絞りを配置してもかまわない。フレア絞りは、前側レンズ群の物体側、前側レンズ群とフォーカスレンズとの間、フォーカスレンズと後側レンズ群との間、後側レンズ群と像面との間のいずれの場所に配置しても良い。
【００４７】
枠部材をフレア絞りの遮光部として用い、この枠部材によりフレア光線を遮光するように構成しても良いし、別の部材で遮光部を構成しても良い。また、遮光部は光学系に直接印刷しても、塗装しても良い。また、シールなどを遮光部として光学系に接着してもかまわない。
【００４８】
また、遮光部の形状は円形、楕円形、矩形、多角形、関数曲線で囲まれる範囲等、いかなる形状でもかまわない。また有害光束をカットするだけでなく画面周辺のコマフレア等の光束をカットしても良い。
【００４９】
また、各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に行ってもかまわない。
【００５０】
ゴースト・フレアの発生を防止するためにレンズの空気接触面に反射防止コートを施すことは一般的に行われている。一方、接合レンズの接合面では接着材の屈折率が空気の屈折率よりも十分高い。そのため、接合レンズの接合面の屈折率は、もともと単層コート並み、あるいはそれ以下の反射率となっていることが多い。そのため、接合レンズの接合面に、あえてコートを施すことは少ない。しかしながら、接合面にも積極的に反射防止コートを施せばさらにゴースト・フレアを軽減できるので、なお良好な画像を得ることができるようになる。
【００５１】
特に、最近では高屈折率硝材が普及している。高屈折率硝材は収差補正効果が高いため、カメラ光学系に多用されるようになってきている。ただし、高屈折率硝材を接合レンズとして用いた場合、接合面での反射も無視できなくなってくる。そのような場合、接合面に反射防止コートを施しておくことは特に効果的である。
【００５２】
接合面コートの効果的な使用法に関しては、特開平２−２７３０１号公報、特開２００１−３２４６７６号公報、特開２００５−９２１１５号公報、ＵＳＰ７１１６４８２公報等に開示されている。
【００５３】
これらの文献では、特に正先行ズームレンズの第１群内の接合レンズ面コートについて述べられている。そこで、本発明の正屈折力の前側レンズ群内の接合レンズ面についても、これら文献に開示されているごとく接合面コートを実施すればよい。
【００５４】
使用するコート材としては、基盤となるレンズの屈折率と接着材の屈折率に応じて、比較的高屈折率なＴａ2Ｏ5、ＴｉＯ2、Ｎｂ2Ｏ5、ＺｒＯ2、ＨｆＯ2、ＣｅＯ2、ＳｎＯ2、Ｉｎ2Ｏ3、ＺｎＯ、Ｙ2Ｏ3などのコート材、比較的低屈折率なＭｇＦ2、ＳｉＯ2、Ａｌ2Ｏ3などのコート材、などを適宜選択し、位相条件を満たすような膜厚に設定すれば良い。
【００５５】
当然のことながら、レンズの空気接触面へのコーティング同様、接合面コートをマルチコートとしても良い。２層あるいはそれ以上の膜数のコート材や膜厚を適宜組み合わせることで、更なる反射率の低減や、反射率の分光特性・角度特性等のコントロールなどを行うことが可能となる。また前側レンズ群以外のレンズ接合面についても、同様の思想に基づいて接合面コートを行うことが効果的なのは言うまでもない。
【００５６】
実施例１の撮像レンズは、図１に示すように、物体側から像側に順に、正屈折力を有する前側レンズ群ＧＦと、正屈折力を有するフォーカスレンズＦｏと、負屈折力を有する後側レンズ群ＧＲと、で構成されている。開口絞りＳは、前側レンズ群ＧＦ内に配置されている。
【００５７】
前側レンズ群ＧＦは、物体側に凸面を向けた負メニスカスレンズＬ１と、物体側に凸面を向けた負メニスカスレンズＬ２と、両凸正レンズＬ３と、両凹負レンズＬ４と、両凹負レンズＬ５と、両凸正レンズＬ６と、両凸正レンズＬ７と、開口絞りＳと、像面側に凸面を向けた正メニスカスレンズＬ８と、両凹負レンズＬ９と、像面側に凸面を向けた正メニスカスレンズＬ１０と、で構成されている。正レンズＬ３と負レンズＬ４とは接合されている。正メニスカスレンズＬ８と負レンズＬ９とは接合されている。
【００５８】
フォーカスレンズＦｏは、両凸正レンズＬ１１で構成されている。
【００５９】
後側レンズ群ＧＲは、物面側に凸面を向けた正メニスカスレンズＬ１２と、物体側に凸面を向けた負メニスカスレンズＬ１３と、像面側に凸面を向けた負メニスカスレンズＬ１４と、物体側に凸面を向けた正メニスカスレンズＬ１５と、で構成されている。
【００６０】
フォーカシング時、フォーカスレンズＦｏが光軸に沿って移動する。より詳しくは、無限遠物体から最至近物体へのフォーカシング時、フォーカスレンズＦｏは物体側に移動する。
【００６１】
非球面は、負レンズＬ２の像側面と、正レンズＬ６の物体側面と、正レンズＬ１１の両面と、正メニスカスレンズＬ１２の両面と、負メニスカスレンズＬ１４の物体側面との合計７面に設けられている。
【００６２】
実施例２の撮像レンズは、図２に示すように、物体側から像側に順に、正屈折力を有する前側レンズ群ＧＦと、正屈折力を有するフォーカスレンズＦｏと、負屈折力を有する後側レンズ群ＧＲと、で構成されている。開口絞りＳは、前側レンズ群ＧＦ内に配置されている。
【００６３】
前側レンズ群ＧＦは、物体側に凸面を向けた負メニスカスレンズＬ１と、物体側に凸面を向けた負メニスカスレンズＬ２と、両凸正レンズＬ３と、像面側に凸面を向けた負メニスカスレンズＬ４と、両凹負レンズＬ５と、両凸正レンズＬ６と、開口絞りＳと、両凸正レンズＬ７と、両凹負レンズＬ８と、像面側に凸面を向けた正メニスカスレンズＬ９と、で構成されている。正レンズＬ３と負メニスカスレンズＬ４とは接合されている。正レンズＬ７と負レンズＬ８とは接合されている。
【００６４】
フォーカスレンズＦｏは、両凸正レンズＬ１０で構成されている。
【００６５】
後側レンズ群ＧＲは、像面側に凸面を向けた正メニスカスレンズＬ１１と、物体側に凸面を向けた負メニスカスレンズＬ１２と、像面側に凸面を向けた負メニスカスレンズＬ１３と、物体側に凸面を向けた正メニスカスレンズＬ１４と、で構成されている。
【００６６】
フォーカシング時、フォーカスレンズＦｏが光軸に沿って移動する。より詳しくは、無限遠物体から最至近物体へのフォーカシング時、フォーカスレンズＦｏは物体側に移動する。
【００６７】
非球面は、負レンズＬ２の像側面と、正レンズＬ６の物体側面と、正レンズＬ１０の両面と、正メニスカスレンズＬ１１の両面と、負メニスカスレンズＬ１３の物体側面との合計７面に設けられている。
【００６８】
実施例３の撮像レンズは、図３に示すように、物体側から像側に順に、正屈折力を有する前側レンズ群ＧＦと、正屈折力を有するフォーカスレンズＦｏと、負屈折力を有する後側レンズ群ＧＲと、で構成されている。開口絞りＳは、前側レンズ群ＧＦ内に配置されている。
【００６９】
前側レンズ群ＧＦは、物体側に凸面を向けた負メニスカスレンズＬ１と、物体側に凸面を向けた負メニスカスレンズＬ２と、両凸正レンズＬ３と、像面側に凸面を向けた負メニスカスレンズＬ４と、両凹負レンズＬ５と、両凸正レンズＬ６と、開口絞りＳと、両凸正レンズＬ７と、両凹負レンズＬ８と、像面側に凸面を向けた正メニスカスレンズＬ９と、で構成されている。正レンズＬ３と負メニスカスレンズＬ４とは接合されている。正レンズＬ７と負レンズＬ８とは接合されている。
【００７０】
フォーカスレンズＦｏは、両凸正レンズＬ１０で構成されている。
【００７１】
後側レンズ群ＧＲは、像面側に凸面を向けた正メニスカスレンズＬ１１と、物体側に凸面を向けた負メニスカスレンズＬ１２と、像面側に凸面を向けた負メニスカスレンズＬ１３と、物体側に凸面を向けた正メニスカスレンズＬ１４と、で構成されている。
【００７２】
フォーカシング時、フォーカスレンズＦｏが光軸に沿って移動する。より詳しくは、無限遠物体から最至近物体へのフォーカシング時、フォーカスレンズＦｏは物体側に移動する。
【００７３】
非球面は、負メニスカスレンズＬ２の像側面と、正レンズＬ６の物体側面と、正レンズＬ１０の両面と、正メニスカスレンズＬ１１の両面と、負メニスカスレンズＬ１３の物体側面との合計７面に設けられている。
【００７４】
実施例４の撮像レンズは、図４に示すように、物体側から像側に順に、正屈折力を有する前側レンズ群ＧＦと、正屈折力を有するフォーカスレンズＦｏと、負屈折力を有する後側レンズ群ＧＲと、で構成されている。開口絞りＳは、前側レンズ群ＧＦ内に配置されている。
【００７５】
前側レンズ群ＧＦは、物体側に凸面を向けた負メニスカスレンズＬ１と、物体側に凸面を向けた負メニスカスレンズＬ２と、両凸正レンズＬ３と、像面側に凸面を向けた負メニスカスレンズＬ４と、両凹負レンズＬ５と、両凸正レンズＬ６と、開口絞りＳと、両凸正レンズＬ７と、両凹負レンズＬ８と、像面側に凸面を向けた正メニスカスレンズＬ９と、で構成されている。正レンズＬ３と負メニスカスレンズＬ４とは接合されている。正レンズＬ７と負レンズＬ８とは接合されている。
【００７６】
フォーカスレンズＦｏは、両凸正レンズＬ１０で構成されている。
【００７７】
後側レンズ群ＧＲは、像面側に凸面を向けた正メニスカスレンズＬ１１と、物体側に凸面を向けた負メニスカスレンズＬ１２と、像面側に凸面を向けた負メニスカスレンズＬ１３と、物体側に凸面を向けた正メニスカスレンズＬ１４と、で構成されている。
【００７８】
フォーカシング時、フォーカスレンズＦｏが光軸に沿って移動する。より詳しくは、無限遠物体から最至近物体へのフォーカシング時、フォーカスレンズＦｏは物体側に移動する。
【００７９】
非球面は、負メニスカスレンズＬ２の像側面と、正レンズＬ６の物体側面と、正レンズＬ１０の両面と、正メニスカスレンズＬ１１の両面と、負メニスカスレンズＬ１３の物体側面との合計７面に設けられている。
【００８０】
実施例５の撮像レンズは、図５に示すように、物体側から像側に順に、正屈折力を有する前側レンズ群ＧＦと、正屈折力を有するフォーカスレンズＦｏと、負屈折力を有する後側レンズ群ＧＲと、で構成されている。開口絞りＳは、前側レンズ群ＧＦ内に配置されている。
【００８１】
前側レンズ群ＧＦは、物体側に凸面を向けた負メニスカスレンズＬ１と、両凸正レンズＬ２と、両凹負レンズＬ３と、像面側に凸面を向けた負メニスカスレンズＬ４と、像面側に凸面を向けた正メニスカスレンズＬ５と、開口絞りＳと、両凸正レンズＬ６と、像面側に凸面を向けた負メニスカスレンズＬ７と、物体側に凸面を向けた負メニスカスレンズＬ８と、で構成されている。正レンズＬ２と負レンズＬ３とは接合されている。正レンズＬ６と負メニスカスレンズＬ７とは接合されている。
【００８２】
フォーカスレンズＦｏは、両凸正レンズＬ９で構成されている。
【００８３】
後側レンズ群ＧＲは、両凸正レンズＬ１０と、物体側に凸面を向けた負メニスカスレンズＬ１１と、両凸正レンズＬ１２と、像面側に凸面を向けた負メニスカスレンズＬ１３と、で構成されている。
【００８４】
フォーカシング時、フォーカスレンズＦｏが光軸に沿って移動する。より詳しくは、無限遠物体から最至近物体へのフォーカシング時、フォーカスレンズＦｏは物体側に移動する。
【００８５】
非球面は、正レンズＬ２の物体側面と、正メニスカスレンズＬ５の両面と、負メニスカスレンズＬ８の両面と、正レンズＬ９の両面との合計７面に設けられている。
【００８６】
実施例６の撮像レンズは、図６に示すように、物体側から像側に順に、正屈折力を有する前側レンズ群ＧＦと、正屈折力を有するフォーカスレンズＦｏと、負屈折力を有する後側レンズ群ＧＲと、で構成されている。開口絞りＳは、前側レンズ群ＧＦ内に配置されている。
【００８７】
前側レンズ群ＧＦは、物体側に凸面を向けた負メニスカスレンズＬ１と、両凸正レンズＬ２と、両凹負レンズＬ３と、像面側に凸面を向けた負メニスカスレンズＬ４と、両凸正レンズＬ５と、両凸正レンズＬ６と、開口絞りＳと、像面側に凸面を向けた正メニスカスレンズＬ７と、像面側に凸面を向けた負メニスカスレンズＬ８と、物体側に凸面を向けた負メニスカスレンズＬ９と、で構成されている。正レンズＬ２と負レンズＬ３とは接合されている。正メニスカスレンズＬ７と負メニスカスレンズＬ８とは接合されている。
【００８８】
フォーカスレンズＦｏは、物体側に凸面を向けた正メニスカスレンズＬ１０で構成されている。
【００８９】
後側レンズ群ＧＲは、両凸正レンズＬ１１と、物体側に凸面を向けた負メニスカスレンズＬ１２と、両凸正レンズＬ１３と、像面側に凸面を向けた負メニスカスレンズＬ１４と、像面側に凸面を向けた負メニスカスレンズＬ１５と、で構成されている。
【００９０】
フォーカシング時、フォーカスレンズＦｏが光軸に沿って移動する。より詳しくは、無限遠物体から最至近物体へのフォーカシング時、フォーカスレンズＦｏは物体側に移動する。
【００９１】
非球面は、正レンズＬ２の物体側面と、正レンズＬ６の両面と、負メニスカスレンズＬ９の両面と、正メニスカスレンズＬ１０の両面との合計７面に設けられている。
【００９２】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数、＊印は非球面である。また、ＯＤは物体距離、ｆは全系の焦点距離、ＦＮＯ．はＦナンバー、ωは半画角、ＩＨは像高、ＦＢはバックフォーカス、全長は、撮像レンズの最も物体側のレンズ面から最も像側のレンズ面までの距離にＦＢ（バックフォーカス）を加えたもの、ｆ１、ｆ２…は各レンズ群の焦点距離である。なお、ＦＢは、レンズ最終面から近軸像面までの距離を空気換算して表したものである。また、０．０３倍とは、倍率が０．０３倍となる物体距離に合焦した時のことを意味する。
【００９３】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【００９４】
数値実施例１
単位  ｍｍ
面データ
面番号       r          d         nd       νd
物面       ∞         ∞
1      59.575      2.00     1.48749    70.23
2      23.379     10.29
3      69.124      2.00     1.43700    95.10
4*     23.655      6.30
5     132.142      5.16     1.92119    23.96
6     -67.470      1.50     1.59282    68.63
7     135.429     11.89
8     -49.057      1.50     1.85478    24.80
9      98.906      0.20
10*     44.692      4.73     1.72903    54.04
11    -290.424      0.40
12     441.015      6.77     1.88300    40.80
13     -37.940      6.86
14(絞り)  ∞        1.50
15    -434.533      7.58     1.49700    81.61
16     -20.345      1.50     1.85478    24.80
17     142.167      3.40
18     -58.386      5.87     1.94595    17.98
19     -31.925      可変
20*     34.146     12.39     1.53071    55.69
21*    -42.385      可変
22*    -97.356      3.03     1.43700    95.10
23*    -42.327      0.20
24      39.142      1.50     1.85478    24.80
25      23.246     10.54
26*    -40.795      1.50     1.63493    23.90
27    -334.124      0.20
28      49.762      4.16     1.92119    23.96
29     154.193     12.96
30        ∞        2.50     1.51633    64.14
31        ∞        1.00
非球面データ 
第４面
k=0.000
A4=-1.06007e-05,A6=-5.13684e-09,A8=-1.40909e-11  
第１０面
k=0.000
A4=-1.09299e-05,A6=6.94094e-09,A8=-1.57038e-12  
第２０面
k=0.000
A4=-6.38321e-06,A6=-1.98388e-09,A8=-8.24194e-13  
第２１面
k=0.000
A4=2.52998e-06,A6=-7.21128e-09,A8=6.65254e-12  
第２２面
k=0.000
A4=2.43954e-06,A6=3.15606e-09,A8=-3.12737e-11  
第２３面
k=0.000
A4=4.36025e-06,A6=1.26937e-08,A8=-3.66550e-11  
第２６面
k=0.000
A4=-1.35451e-05,A6=-4.65037e-09,A8=-3.52020e-11  
各種データ
ＯＤ             無限遠    0.03倍    最至近
ｆ                24.50     24.32     23.71
ＦＮＯ．           1.47      1.47      1.44
２ω              82.88     82.70     81.75
ＩＨ              21.633    21.633    21.633
ＦＢ (in air)     15.60     14.80     12.05
全長 (in air)    134.14    133.32    130.59
d19            3.56      3.02      1.20  
d21            2.00      2.52      4.36  
群焦点距離
f1=189.12   f2=37.75   f3=-109.35   
【００９５】
数値実施例２
単位  ｍｍ
面データ
面番号       r          d         nd       νd
物面       ∞         ∞
1      55.621      2.00     1.48749    70.23
2      23.290      8.41
3      58.530      2.00     1.43700    95.10
4*     25.251      8.62
5     260.705      4.07     1.92119    23.96
6     -71.360      1.50     1.59282    68.63
7    -412.610     11.90
8     -44.200      1.50     1.85478    24.80
9      96.270      0.20
10*     46.511     10.28     1.86400    40.58
11     -36.645      7.28
12(絞り)  ∞        1.50
13     348.583      8.61     1.49700    81.61
14     -22.531      1.50     1.85478    24.80
15     120.618      4.11
16     -58.386      5.87     1.94595    17.98
17     -31.925      可変
18*     32.797     12.32     1.53071    55.69
19*    -55.310      可変
20*   -117.622      3.25     1.43700    95.10
21*    -44.727      0.20
22      39.517      1.50     1.85478    24.80
23      22.768     10.48
24*    -38.744      1.50     1.63493    23.90
25    -523.512      0.20
26      50.661      3.96     1.92119    23.96
27     156.766     12.96
28        ∞        2.50     1.51633    64.14
29        ∞        1.00
像面       ∞
非球面データ 
第４面
k=0.000
A4=-8.84326e-06,A6=-4.08863e-09,A8=-1.21868e-11  
第１０面
k=0.000
A4=-8.07548e-06,A6=3.68257e-09,A8=-6.38790e-13  
第１８面
k=0.000
A4=-5.99428e-06,A6=-3.30440e-09,A8=-5.72177e-13  
第１９面
k=0.000
A4=6.92125e-07,A6=-6.28603e-09,A8=5.79720e-12  
第２０面
k=0.000
A4=1.31122e-06,A6=-3.79776e-09,A8=-8.97321e-12  
第２１面
k=0.000
A4=1.43376e-06,A6=7.86969e-09,A8=-1.68908e-11  
第２４面
k=0.000
A4=-1.61088e-05,A6=-2.42242e-09,A8=-4.70658e-11  
各種データ
ＯＤ             無限遠    0.03倍    最至近
ｆ                28.60     28.29     27.25
ＦＮＯ．           1.45      1.44      1.39
２ω              72.05     71.93     71.23
ＩＨ              21.633    21.633    21.633
ＦＢ(in air)      15.60     14.67     11.52
全長 (in air)    134.14    133.20    130.06
d17            3.77      3.19      1.20  
d19            2.00      2.57      4.57  
群焦点距離
f1=126.65   f2=40.77   f3=-84.70   
【００９６】
数値実施例３
単位  ｍｍ
面データ
面番号       r          d         nd       νd
物面       ∞         ∞
1      22.998      1.03     1.48749    70.23
2      11.895      5.12
3     163.222      1.03     1.43700    95.10
4*     16.195      1.80
5      77.676      2.14     1.92119    23.96
6     -42.460      0.77     1.59282    68.63
7     -74.286      4.87
8     -17.253      0.77     1.85478    24.80
9      72.825      0.10
10*     23.805      5.27     1.86400    40.58
11     -19.360      5.73
12(絞り)  ∞        0.77
13      95.001      4.54     1.49700    81.61
14     -12.136      0.77     1.85478    24.80
15      52.810      2.20
16     -30.093      3.03     1.94595    17.98
17     -16.455      可変
18*     16.732      6.22     1.53071    55.69
19*    -31.667      可変
20*    -60.227      1.62     1.43700    95.10
21*    -23.596      0.10
22      16.231      0.77     1.85478    24.80
23      10.709      6.19
24*    -14.673      0.77     1.63493    23.90
25    -105.042      0.10
26      29.981      2.17     1.92119    23.96
27     202.084      6.68
28        ∞        1.29     1.51633    64.14
29        ∞        0.52
像面       ∞
非球面データ 
第４面
k=0.000
A4=-8.34093e-05,A6=-6.20387e-08,A8=-4.23301e-10  
第１０面
k=0.000
A4=-7.04870e-05,A6=1.40262e-07,A8=-1.76556e-10  
第１８面
k=0.000
A4=-4.55007e-05,A6=-1.11937e-07,A8=-4.02141e-11  
第１９面
k=0.000
A4=-6.38745e-06,A6=-1.48035e-07,A8=4.93907e-10  
第２０面
k=0.000
A4=1.36359e-06,A6=-1.67564e-07,A8=-6.88791e-10  
第２１面
k=0.000
A4=1.42209e-07,A6=1.80304e-07,A8=-1.51942e-09  
第２４面
k=0.000
A4=-6.55334e-05,A6=1.81340e-07,A8=-2.73155e-09  
各種データ
ＯＤ             無限遠    0.03倍    最至近
ｆ                17.68     17.44     16.67
ＦＮＯ．           1.48      1.47      1.41
２ω              62.47     62.32     61.49
ＩＨ              11.150    11.150    11.150
ＦＢ(in air)       8.04      7.47      5.54
全長 (in air)     69.14     68.55     66.64
d17            2.16      1.81      0.62  
d19            1.03      1.37      2.57  
群焦点距離
f1=86.06   f2=21.59   f3=-40.62   
【００９７】
数値実施例４
単位  ｍｍ
面データ
面番号       r          d         nd       νd
物面       ∞         ∞
1      44.842      2.00     1.48749    70.23
2      23.123      9.89
3     275.962      2.00     1.43700    95.10
4*     31.624      3.86
5     155.242      4.10     1.92119    23.96
6     -82.944      1.50     1.59282    68.63
7    -148.594      9.53
8     -34.032      1.50     1.85478    24.80
9     145.734      0.20
10*     46.271     10.20     1.86400    40.58
11     -38.110     11.03
12(絞り)  ∞        1.50
13     194.162      8.83     1.49700    81.61
14     -23.318      1.50     1.85478    24.80
15     101.786      4.15
16     -58.386      5.87     1.94595    17.98
17     -31.925      可変
18*     32.251     11.75     1.53071    55.69
19*    -61.461      可変
20*   -104.744      3.05     1.43700    95.10
21*    -44.736      0.20
22      30.278      1.50     1.85478    24.80
23      20.460     12.25
24*    -27.451      1.50     1.63493    23.90
25    -192.861      0.20
26      61.971      4.23     1.92119    23.96
27     928.539     12.96
28        ∞        2.50     1.51633    64.14
29        ∞        1.00
像面       ∞
非球面データ 
第４面
k=0.000
A4=-1.11571e-05,A6=-2.28330e-09,A8=-4.32715e-12  
第１０面
k=0.000
A4=-9.41858e-06,A6=4.81133e-09,A8=-1.51374e-12  
第１８面
k=0.000
A4=-6.37201e-06,A6=-4.40592e-09,A8=-4.25233e-13  
第１９面
k=0.000
A4=-1.14309e-06,A6=-5.21476e-09,A8=4.47848e-12  
第２０面
k=0.000
A4=7.40261e-07,A6=-5.59363e-09,A8=-4.63037e-12  
第２１面
k=0.000
A4=6.57957e-07,A6=6.67078e-09,A8=-1.25454e-11  
第２４面
k=0.000
A4=-8.37421e-06,A6=8.40465e-09,A8=-2.85295e-11  
各種データ
ＯＤ             無限遠    0.03倍    最至近
ｆ                34.30     33.85     32.36
ＦＮＯ．           1.48      1.47      1.41
２ω              62.47     62.32     61.45
ＩＨ              21.633    21.633    21.633
ＦＢ(in air)      15.60     14.49     10.75
全長 (in air)    134.14    133.01    129.29
d17            4.19      3.50      1.20  
d19            2.00      2.66      4.99  
群焦点距離
f1=172.64   f2=41.67   f3=-79.29   
【００９８】
数値実施例５
単位  ｍｍ
面データ
面番号       r          d         nd       νd
物面       ∞         ∞
1      37.020      1.00     1.48749    70.23
2      16.482      3.18
3*     26.739      7.00     1.90270    31.00
4     -35.394      1.00     1.64769    33.79
5      14.054     11.40
6     -13.956      1.00     1.85025    30.05
7     -22.238      0.20
8*    -45.704      5.87     1.58313    59.38
9*    -17.089      1.00
10(絞り)  ∞        1.00
11      30.788      9.04     1.59522    67.74
12     -22.492      1.00     1.85025    30.05
13     -32.851      0.20
14*    330.238      1.00     1.53071    55.69
15*     23.483      可変
16*     22.646      4.76     1.53071    55.69
17*   -535.370      可変
18     114.859      3.00     1.74320    49.34
19    -166.459      0.20
20      31.695      1.00     1.68893    31.07
21      14.971      3.51
22      78.208      2.32     1.80400    46.57
23     -79.338      2.70
24     -21.784      1.00     1.68893    31.07
25     -31.308     13.50
26        ∞        2.00     1.51633    64.14
27        ∞        0.50
像面       ∞
非球面データ 
第３面
k=0.000
A4=-3.57574e-06,A6=-7.57764e-09,A8=7.98133e-12  
第８面
k=0.000
A4=7.40922e-06,A6=4.73722e-09  
第９面
k=0.000
A4=1.58406e-06,A6=2.70273e-08,A8=2.01202e-11  
第１４面
k=0.000
A4=-9.59358e-06,A6=-2.37979e-08  
第１５面
k=0.000
A4=1.72790e-05,A6=-4.76454e-08,A8=5.31156e-11  
第１６面
k=0.000
A4=-1.02055e-06,A6=-3.06189e-08  
第１７面
k=0.000
A4=-1.43982e-05,A6=2.14247e-08  
各種データ
ＯＤ             無限遠    0.03倍    最至近
ｆ                24.49     24.36     23.88
ＦＮＯ．           1.43      1.42      1.40
２ω              48.11     47.46     45.06
ＩＨ              10.815    10.815    10.815
ＦＢ(in air)      15.32     14.59     11.92
全長 (in air)     84.31     83.58     80.91
d15            5.15      4.39      1.60  
d17            1.45      2.21      5.00  
群焦点距離
f1=91.13   f2=41.06   f3=-1304.06   
【００９９】
数値実施例６
単位  ｍｍ
面データ
面番号       r          d         nd       νd
物面       ∞         ∞
1      62.403      2.00     1.48749    70.23
2      26.375      6.44
3*     69.523      9.73     1.90270    31.00
4     -40.415      1.50     1.64769    33.79
5      45.894      9.49
6     -28.902      1.50     1.85025    30.05
7    -125.558      0.20
8     464.820      8.41     1.64000    60.08
9     -45.289      0.20
10*    174.291      9.52     1.76802    49.24
11*    -47.045      2.00
12(絞り)  ∞        5.07
13     -72.649      9.09     1.59522    67.74
14     -29.200      1.50     1.85025    30.05
15     -40.583      0.20
16*    258.933      1.50     1.53071    55.69
17*     36.994      可変
18*     35.212      7.52     1.53071    55.69
19*    476.165      可変
20     181.025      3.77     1.49700    81.61
21    -231.435      0.20
22      66.257      1.50     1.68893    31.07
23      28.644     11.34
24      90.928      5.69     1.95375    32.32
25    -110.768      1.50     1.71736    29.52
26    -531.786      7.39
27     -45.755      1.50     1.68893    31.07
28    -150.687     13.06
29        ∞        2.50     1.51633    64.14
30        ∞        1.00
像面       ∞
非球面データ 
第３面
A4=0.000
A4=-9.83703e-07,A6=-7.01762e-10,A8=3.48327e-13  
第１０面
k=0.000
A4=-1.27462e-06,A6=-2.08875e-10  
第１１面
k=0.000
A4=1.59973e-06,A6=4.23743e-10,A8=-7.25460e-13  
第１６面
k=0.000
A4=-5.36285e-07,A6=4.89507e-11  
第１７面
k=0.000
A4=1.97279e-06,A6=-2.83623e-09,A8=5.23346e-13  
第１８面
k=0.000
A4=-4.43462e-07,A6=-2.30233e-09  
第１９面
k=0.000
A4=-3.28438e-06,A6=2.01483e-09  
各種データ
ＯＤ             無限遠    0.03倍    最至近
ｆ                49.00     48.39     46.32
ＦＮＯ．           1.42      1.40      1.34
２ω              47.88     47.10     44.26
ＩＨ              21.633    21.633    21.633
ＦＢ(in air)      15.71     14.19      8.97
全長 (in air)    134.14    132.61    127.39
d17            7.66      6.18      1.00  
d19            2.00      3.48      8.66  
群焦点距離
f1=133.68   f2=71.22   f3=-253.01   
【０１００】
以上の実施例１〜６の収差図を、それぞれ図７〜図１２に示す。各図中、”ω”は半画角を示す。
【０１０１】
これらの収差図において、（ａ）、（ｂ）、（ｃ）、（ｄ）は、それぞれ、無限遠物体合焦時における球面収差（ＳＡ）、非点収差（ＡＳ）、歪曲収差（ＤＴ）、倍率色収差（ＣＣ）を示している。
【０１０２】
また、（ｅ）、（ｆ）、（ｇ）、（ｈ）は、それぞれ、倍率が０．０３倍時における球面収差（ＳＡ）、非点収差（ＡＳ）、歪曲収差（ＤＴ）、倍率色収差（ＣＣ）を示している。
【０１０３】
また、（ｉ）、（ｊ）、（ｋ）、（ｌ）は、それぞれ、最至近物体合焦時における球面収差（ＳＡ）、非点収差（ＡＳ）、歪曲収差（ＤＴ）、倍率色収差（ＣＣ）を示している。
【０１０４】
次に、各実施例における条件式（１）〜（６）の値を掲げる。
条件式                             実施例１    実施例２    実施例３    
(1) ｆf/ｆfo                         5.01        3.11        3.99    
(2) ｆr1/ｆfo                        4.46        4           4.06    
(3) (１-ｍｇFo2)×(ｍｇR)2        1.25        1.16        1.24    
(4) νdFo                           55.69       55.69       55.69    
(5) (ｒRfof+ｒRfor)/(ｒRfof-ｒRfor) -0.11      -0.26        -0.31  
(6) Ｆno/(ｆ×21.633/Ｙ）            0.06       0.051        0.043   
条件式                             実施例４    実施例５    実施例６    
(1) ｆf/ｆfo                         4.14        2.22        1.88
(2) ｆr1/ｆfo                        4.22        2.24        2.88
(3) (１-ｍｇFo2)×(ｍｇR)2        1.26        0.56        0.51
(4) νdFo                           55.69       55.69       55.69
(5) (ｒRfof+ｒRfor)/(ｒRfof-ｒRfor) -0.31       -0.92       -1.16
(6) Ｆno/(ｆ×21.633/Ｙ）            0.043       0.029       0.029
【０１０５】
図１３は、電子撮像装置としての一眼ミラーレスカメラの断面図である。図１３において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０１０６】
そして、一眼ミラーレスカメラ１の撮影光学系２として、例えば上記実施例１〜６に示した本発明の撮像レンズが用いられる。
【０１０７】
図１４、図１５は、本発明に係る撮像装置の構成の概念図を示す。図１４は撮像装置としてのデジタルカメラ４０の外観を示す前方斜視図、図１５は同後方斜視図である。このデジタルカメラ４０の撮影光学系４１に、本発明の撮像レンズが用いられている。
【０１０８】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１の撮像レンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０１０９】
図１６は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０１１０】
図１６に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１１１】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１１２】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０１１３】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０１１４】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１１５】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１１６】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１１７】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１１８】
このように構成されたデジタルカメラ４０は、撮影光学系４１として本発明の撮像レンズを採用することで、広い範囲を、高い解像で素早く撮像することができる撮像装置とすることが可能となる。
【産業上の利用可能性】
【０１１９】
以上のように、本発明は、大口径でありながら諸収差が十分に低減され、フォーカスレンズが軽量化された小型な撮像レンズ及びそれを有する撮像装置やデジタル機器に適している。
【符号の説明】
【０１２０】
ＧＦ  前側レンズ群
ＧＲ  後側レンズ群
Ｆｏ  フォーカスレンズ
Ｓ  開口絞り
Ｃ  カバーガラス
Ｉ  像面
１  一眼ミラーレスカメラ
２  撮影光学系
３  鏡筒のマウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
2016110007.tif 000003
【図２】
2016110007.tif 000004
【図３】
2016110007.tif 000005
【図４】
2016110007.tif 000006
【図５】
2016110007.tif 000007
【図６】
2016110007.tif 000008
【図７】
2016110007.tif 000009
【図８】
2016110007.tif 000010
【図９】
2016110007.tif 000011
【図１０】
2016110007.tif 000012
【図１１】
2016110007.tif 000013
【図１２】
2016110007.tif 000014
【図１３】
2016110007.tif 000015
【図１４】
2016110007.tif 000016
【図１５】
2016110007.tif 000017
【図１６】
2016110007.tif 000018